(57)【要約】      （修正有）【課題】ミシン縫い目の見えない複合式カップ構造を有するブラジャーカップを提供する。【解決手段】ブラジャーカップ１は、熱圧着外部構造組立体と裁断式立体内カップ組立体２０とを備え、熱圧着外部構造組立体１０は、表布１１と外芯材層１２とを有し、表布が外芯材層のうちの一面に結合され、裁断式立体内カップ組立体は、少なくとも一つの継ぎ合わせ布を有し、かつ継ぎ合わせ布は、内芯材層２１と裏布２２とを含み、裏布が内芯材層の一面に結合され、各継ぎ合わせ布は、立体型紙に合わせてミシン縫製やラミネート手段を利用して完全な裁断式立体内カップ組立体になるように結合され、裁断式立体内カップ組立体は、内凹部と外凸部とを自然に湾曲成形するようにミシン縫製され、継ぎ合わせ手段２３は、内凹部と外凸部とに露呈分布しており、裁断式立体内カップ組立体と熱圧着外部構造組立体の外芯材層とを内芯材層により熱圧着結合して一体的に成形する。【選択図】図７
0003225770.tif 000002
【実用新案登録請求の範囲】
【請求項１】
継ぎ目の見えない複合式カップ構造であって、そのカップは、表布を有する熱圧着外部構造組立体と、裏布を有する裁断式立体内カップ組立体とを備え、
前記裁断式立体内カップ組立体は、少なくとも一つの裁断済みの継ぎ合わせ布を有し、継ぎ合わせ手段で立体型紙に合わせて継ぎ合わせ結合によりなされ、前記裁断式立体内カップ組立体は、内凹部と外凸部とを自然に湾曲成形するようにミシン縫製され、前記内凹部が内側方向となり、前記外凸部が外側方向となり、前記継ぎ合わせ手段は、前記内凹部と前記外凸部とに露呈分布しており、
前記裁断式立体内カップ組立体と、前記熱圧着外部構造組立体とを前記外側方向で熱圧着結合して一体的に成形し、前記熱圧着外部構造組立体によって前記外凸部の前記継ぎ合わせ手段を遮蔽することを特徴とする、継ぎ目の見えない複合式カップ構造。
【請求項２】
前記熱圧着外部構造組立体は、外芯材層をさらに有し、前記表布が前記外芯材層のうちの一面に結合されることを特徴とする、請求項１に記載の継ぎ目の見えない複合式カップ構造。
【請求項３】
前記表布の一面にプリント柄、刺繍柄またはドビー柄が施されることを特徴とする、請求項１に記載の継ぎ目の見えない複合式カップ構造。
【請求項４】
前記裁断式立体内カップ組立体は、内芯材層をさらに有し、前記裏布が前記内芯材層のうちの一面に結合されることを特徴とする、請求項１に記載の継ぎ目の見えない複合式カップ構造。
【請求項５】
前記裏布の一面にプリント柄、刺繍柄またはドビー柄が施されることを特徴とする、請求項１に記載の継ぎ目の見えない複合式カップ構造。
【請求項６】
前記表布は、所定方向に沿う繊維流れ向きを持ち、前記裁断式立体内カップ組立体の当該継ぎ合わせ布の裏布は、所定方向に沿う繊維流れ向きを持ち、前記表布の繊維流れ向きと前記裏布の繊維流れ向きは、いずれも異なっていることを特徴とする、請求項１に記載の継ぎ目の見えない複合式カップ構造。
【請求項７】
前記熱圧着外部構造組立体と前記裁断式立体内カップ組立体との間に設けられる中間層をさらに備えることを特徴とする、請求項１に記載の継ぎ目の見えない複合式カップ構造。
【請求項８】
前記継ぎ合わせ手段は、ミシン縫製であることを特徴とする、請求項１に記載の継ぎ目の見えない複合式カップ構造。
【請求項９】
前記継ぎ合わせ手段は、ラミネート片であることを特徴とする、請求項１に記載の継ぎ目の見えない複合式カップ構造。
【考案の詳細な説明】
【技術分野】
【０００１】
本考案は、ブラジャーのカップに係り、特に、複合式カップ構造に関するものである。
【背景技術】
【０００２】
ブラジャーは、女性たちにとって最も素肌に近い衣料であり、現今の国民の生活品質を普遍的に向上させる環境において、ブラジャー製品の精緻化は、実に同日に論じることができない。従って、消費者は、ブラジャーの品質及び使用快適さの程度に対する要求も相対的に増加する。しかし一方で、ブラジャー製品において、消費者が求める着用品質及び快適効果に最も直接影響するものが、乳房を包み込んで支え上げるカップにほかならない。このため、カップ部分の構造及び設計は、実に最も重要な課題の一環であり、市場競争力に対し一定程度の影響があったと考えられる。
【０００３】
現在、一般の下着カップ構造は、主に２種類のものがある。１種類目は、一体式熱圧着成形するものであり、２種類目は、裁断・ミシン縫製・継ぎ合わせ成形するものである。
【０００４】
一体式熱圧着成形するカップとは、同じ大きさ平面状の中間層、内表層及び外表層の３層を重ね合わせた後、金型と高温を利用して、前記中間層と、前記内表層と、前記外表層とをカップの立体形状となるように熱圧着すると同時に、前記中間層と、前記内表層と、前記外表層とを一体的に結合するものであり、この種のような設計は、美観性の利点を有する。カップの成形後、透け模様のレース下着本体内に設置されるので、一体式熱圧着成形するカップを透け模様のレース下着本体から透過するとき、外表が平坦で美観に優れ、しかし、この種の生産工程には、ほとんど各種の規格に基づいて、一つの金型を独立に利用して熱圧着成形を行うため、この種のカップでは、大量の金型のための開発コストが必要となり、開発サイクルが高くなる。その上、熱圧着してから完全定型までの時間が長いため、量産に不向きである。
【０００５】
２種類目のカップは、裁断・ミシン縫製・継ぎ合わせ成形するものであり、この種の継ぎ合わせカップは、立体型紙に合わせて所定の単一または複数の平面に沿ってミシン縫製して継ぎ合わせる方式を利用して、前記裁布が立体形状になるように相互に結合され、この種の裁断・ミシン縫製・継ぎ合わせ成形するカップのほとんどは、布面を新たに組み合わせた後、互いに引張固定し合うことで、身体に緊密フィットしてサポート安定作用を達成でき、かつ高温での金型加工を経ずに塑型できるので、開発が便利迅速に行えるばかりでなく、生産コストも大幅に低減できる。しかし、ミシン縫製により布が立体カップ形状になるように結合されるため、デザインモデルに制限があるので、外表の美観性については、美観性がミシン縫製線によって限定されると見なされ、ミシン縫製・成形の過程にはより大きいな誤差値があるに加えて、完成品の外形もスムーズに表されないことから、生産し出荷するカップの形状が期待通りにならない場合がある。
【考案の概要】
【考案が解決しようとする課題】
【０００６】
本考案の目的は、変形防止及び耐洗濯性の利点を備えた上、さらに同時に美観性の利点を兼ね備えている、継ぎ目の見えない複合式カップ構造を提供することである。
【課題を解決するための手段】
【０００７】
本考案に係る継ぎ目の見えない複合式カップ構造において、そのカップは、熱圧着外部構造組立体と、裁断式立体内カップ組立体とを備え、前記熱圧着外部構造組立体は、表布を有し、前記裁断式立体内カップ組立体は、裏布を有するとともに少なくとも一つの裁断済みの継ぎ合わせ布を有し、継ぎ合わせ手段で立体型紙に合わせて継ぎ合わせ結合によりなされ、前記裁断式立体内カップ組立体は、内凹部と外凸部とを自然に湾曲成形するようにミシン縫製され、前記内凹部が内側方向となり、前記外凸部が外側方向となり、前記継ぎ合わせ手段は、前記内凹部と前記外凸部とに露呈分布しており、前記裁断式立体内カップ組立体と、前記熱圧着外部構造組立体とを前記外側方向で熱圧着結合して一体的に成形するものである。
【考案の効果】
【０００８】
そのカップを用いて一体式熱圧着成形する下着を作製するとき、カップの表面全体は、同一枚の熱圧着外部構造組立体であり、そして前記カップ内の前記裁断式立体内カップ組立体の継ぎ合わせ手段は、いずれも前記熱圧着外部構造組立体によって遮蔽される。よって、美観性を有すると同時に、また開発迅速化及びコスト低減化の利点を兼ね備えている。単一のカップとして作製されるそのカップが、レース下着布内に設けられるとき、レース間に露呈しているカップの表面は、同一枚の熱圧着外部構造組立体であり、ミシン縫製目やラミネート片を有する前記継ぎ合わせ手段は、いずれも非透視材質からなる熱圧着外部構造組立体によって遮蔽され、変形防止及び耐洗濯性の利点を備えた上、さらに同時に美観性の利点を兼ね備えている。
【図面の簡単な説明】
【０００９】
【図１】本考案の下着とカップの斜視図である。
【図２】本考案の熱圧着外部構造組立体及び裁断式立体内カップ組立体の分解斜視図（未切裁未成形の裁断式立体内カップ組立体）である。
【図３】本考案の熱圧着外部構造組立体及び裁断式立体内カップ組立体の分解斜視図（切裁成形後の各継ぎ合わせ布）である。
【図４】本考案の熱圧着外部構造組立体及び裁断式立体内カップ組立体の分解斜視図（ミシン縫製準備の各継ぎ合わせ布）である。
【図５】本考案の熱圧着外部構造組立体及び裁断式立体内カップ組立体の分解斜視図（ミシン縫製成形後の各継ぎ合わせ布）である。
【図６】本考案の熱圧着成形を示す図である。
【図７】本考案のカップ完成品を斜視的に、かつ一部断面にして示す図である。
【図８】本考案の他の実施例のカップの熱圧着成形を示す図である。
【図９】本考案の他の実施例のカップ完成品の断面図である。
【図１０】本考案のさらに他の実施例のカップ完成品の断面図（継ぎ合わせ手段がラミネート片である場合）である。
【図１１】本考案の裁断式立体内カップ組立体を継ぎ合わせ布を介してのミシン縫製成形を示す図である。
【考案を実施するための形態】
【実施例１】
【００１０】
図１〜図７のように、本考案の継ぎ目の見えない複合式カップ構造において、そのカップ１は、熱圧着外部構造組立体１０と、裁断式立体内カップ組立体２０とを備える。
【００１１】
前記熱圧着外部構造組立体１０は、表布１１と、外芯材層１２とを有し、前記表布１１が前記外芯材層１２のうちの一面に結合され、かつ前記表布１１の前記外芯材層１２に結合される面とは他方の面にプリント柄、刺繍柄またはドビー柄が施され、前記表布１１と前記外芯材層１２は、遠赤外線布、竹炭繊維を含む布、銀イオンを含む布、グラフェン繊維を含む布、涼感機能布、発熱機能布、抗菌布、起毛布、プリント柄布、サンドイッチ布または弾性布などであってもよい。
【００１２】
前記裁断式立体内カップ組立体２０は、少なくとも一つの裁断済みの継ぎ合わせ布２０Ａを有し、立体型紙に合わせてミシン縫製やラミネートを利用して継ぎ合わせによりなされ、かつ前記継ぎ合わせ布２０Ａは、内芯材層２１と、裏布２２とを含み、前記裏布２２が前記内芯材層２１のうちの一面に結合され、かつ前記裏布２２の前記内芯材層２１に結合される面とは他方の面にプリント柄、刺繍柄またはドビー柄が施され、図２〜図４のように、前記内芯材層２１と前記裏布２２は、遠赤外線布、竹炭繊維を含む布、銀イオンを含む布、グラフェン繊維を含む布、涼感機能布、発熱機能布、抗菌布、起毛布、プリント柄布、サンドイッチ布または弾性布などであってもよい。前記継ぎ合わせ布２０Ａは、継ぎ合わせ手段２３を利用して完全な前記裁断式立体内カップ組立体２０になるように結合され、この時、前記裁断式立体内カップ組立体２０は、内凹部２４と外凸部２５とを自然に湾曲成形するようにミシン縫製され、前記内凹部２４が内側方向となり、前記外凸部２５が外側方向となり、前記継ぎ合わせ手段２３は、前記内凹部２４と前記外凸部２５とに露呈分布しており、前記継ぎ合わせ手段２３は、ミシン縫製２３Ａ（図５〜図７を参照）の方式であってもよく、あるいはラミネート片２３Ｂ（図１０を参照）の方式であってもよい。
【００１３】
前記裁断式立体内カップ組立体２０と、前記熱圧着外部構造組立体１０とを前記外側方向の前記内芯材層２１により一体的に結合し、前記熱圧着外部構造組立体１０によって前記外凸部２５の前記継ぎ合わせ手段２３を遮蔽し、前記一体的な結合は、上型５０ａ及び下型５０ｂを利用して熱圧着成形を行い、図６のように、前記上型５０ａに雌型穴５１ａが予め設けられ、前記下型５０ｂに前記雌型穴５１ａに合致する雄型突起部５１ｂが設けられ、前記裁断式立体内カップ組立体２０は、前記内凹部２４を介して前記雄型突起部５１ｂに載置され、前記熱圧着外部構造組立体１０は、前記外凸部２５の方向に載置されて積み重ねられ、前記上型５０ａ及び前記下型５０ｂで熱圧着を行い、前記熱圧着外部構造組立体１０を、前記雌型穴５１ａと前記雄型突起部５１ｂとに合わせて成形すると同時に、前記熱圧着外部構造組立体１０と前記裁断式立体内カップ組立体２０とを一体的に結合し、次いで前記熱圧着外部構造組立体１０を前記上型５０ａと前記下型５０ｂとの間に入れるとき、事前に単独でプリプレスし、それから中央部に前記外凸部２５に合致する形状を形成してもよいことは、図５に示すとおりである。
【００１４】
その内、前記表布１１は、所定方向に沿う繊維流れ向きを持ち、前記裁断式立体内カップ組立体２０の各継ぎ合わせ布２０Ａの裏布２２は、所定方向に沿う繊維流れ向きを持ち、前記表布１１の繊維流れ向きと前記各裏布２２の繊維流れ向きは、いずれも異なっている。
【実施例２】
【００１５】
前記カップ１の熱圧着成形時、中間層３０をさらに備え、図８と図９のように、前記中間層３０は、中綿層、綿パッド、ゴム薄板、ゴムメッシュ、ゴムフィルム、挿入薄板、裏当て布、射出成形薄板またはサポート薄板などであってもよく、前記中間層３０は、前記熱圧着外部構造組立体１０と前記裁断式立体内カップ組立体２０との間に設けられ、前記上型５０ａ及び前記下型５０ｂを利用して熱圧着を行うとき、同時に結合固定している。
【００１６】
本考案のカップ１を用いて着用者が着用するための下着を作製するとき、前記裁断式立体内カップ組立体２０は、異なる特性や繊維方向の前記各継ぎ合わせ布２０Ａからなるので、カップ１の異なる部位に異なる引き締め、サポート及びストレッチなどの機能を有させることができるため、より好ましい引き締め、持ち上げ集中及び包み込みフィット効果を提供することができ、前記熱圧着外部構造組立体１０が前記裁断式立体内カップ組立体２０の外側表面に結合して設けられることに加えて、より一層前記各継ぎ合わせ布２０Ａの耐洗濯及び抗変形の性能に役立てる一方、相対的に前記各継ぎ合わせ布２０Ａにより前記熱圧着外部構造組立体１０の耐洗濯及び抗変形の性能をも増強させることができる。かつ、前記カップ１を用いて着用者が着用するための下着を作製するとき、外表面からは各継ぎ合わせ布２０Ａ間の継ぎ合わせ手段２３が完全に見えないので、ブブラジャー全体の美観性及び着用の快適感に影響せずに、さらに耐洗濯性及び変形しない利点を兼ね備えている。
【００１７】
また、前記裁断式立体内カップ組立体２０は、前記二つの継ぎ合わせ布２０Ａを使用して継ぎ合わせてなるとき、前記継ぎ合わせ布２０Ａは、互いに異なる高さで結合されてもよく、そうすると、異なる厚さを有する前記裁断式立体内カップ組立体２０が得られる。
【００１８】
前記裁断式立体内カップ組立体２０は、少なくとも一つの継ぎ合わせ布２０Ａにより結合してなる。継ぎ合わせ布２０Ａが一つである場合では、図１１のように、前記継ぎ合わせ布２０Ａに切欠口が予め設けられた後に、前記切欠口からミシン縫製やラミネートの前記継ぎ合わせ手段２３を利用すると、前記一つの継ぎ合わせ布２０Ａを裁断式立体内カップ組立体２０に成形することができる。一方、継ぎ合わせ布２０Ａが複数である場合では、図２〜図５のように、前記各継ぎ合わせ布２０Ａは、ミシン縫製やラミネートの前記継ぎ合わせ手段２３を利用すると、前記各継ぎ合わせ布２０Ａを裁断式立体内カップ組立体２０に成形することができる。
【００１９】
上記の具体的な実施例の構造によれば、下記の効果利益が得られる。本考案の継ぎ目の見えない複合式カップ構造において、そのカップ１を用いて一体式熱圧着成形する下着を作製するとき、カップ１の表面全体は、同一枚の熱圧着外部構造組立体１０であり、そして前記カップ１内の前記裁断式立体内カップ組立体２０は、さらに多数種の繊維流れ向きを持つ前記各継ぎ合わせ布２０Ａを有するため、美観性を有すると同時に、また変形防止及び耐洗濯性の利点を兼ね備えている。単一のカップ１として作製されるそのカップ１が、レース下着布内に設けられるとき、レース間に露呈しているカップ１の表面は、同一枚の熱圧着外部構造組立体１０であり、複数裁断した継ぎ合わせ布２０Ａの継ぎ合わせ手段２３は、いずれも非透視材質からなる熱圧着外部構造組立体１０によって遮蔽され、変形防止及び耐洗濯性の利点を備えた上、さらに同時に美観性の利点を兼ね備えている。
【００２０】
また、前記裁断式立体内カップ組立体２０は、前記継ぎ合わせ手段２３を利用して成形するとき、既に基本的な立体形状を具備すると同時に、前記内凹部２４と前記外凸部２５とを生成することにより、前記熱圧着外部構造組立体１０と前記裁断式立体内カップ組立体２０とを重ね合わせ設置して熱圧着成形を行うとき、必要な成形温度をより低くし、成形時間をより短くすることができる。その結果、前記部分の加工時間とコストを低減することができる。
【００２１】
さらに、前記熱圧着外部構造組立体１０と前記裁断式立体内カップ組立体２０とを重ね合わせて設置することで、多層かつ互いに異なる繊維流れ向きを生じさせることができ、変形や引張力を相補的にすることができ、より好ましい変形防止及び強い耐洗濯性の性能を有するので、着用時、バストの左右を寄せて上げる性能が不一致になってしまうことを回避でき、着心地をより快適にすることができる。
【符号の説明】
【００２２】
１         カップ
１０        熱圧着外部構造組立体
１１        表布
１２        外芯材層
２０        裁断式立体内カップ組立体
２０Ａ       継ぎ合わせ布
２１        内芯材層
２２        裏布
２３        継ぎ合わせ手段
２３Ａ       ミシン縫製
２３Ｂ       ラミネート片
２４        内凹部
２５        外凸部
３０        中間層
５０ａ       上型
５１ａ       雌型穴
５０ｂ       下型
５１ｂ       雄型突起部
【図１】
0003225770.tif 000003
【図２】
0003225770.tif 000004
【図３】
0003225770.tif 000005
【図４】
0003225770.tif 000006
【図５】
0003225770.tif 000007
【図６】
0003225770.tif 000008
【図７】
0003225770.tif 000009
【図８】
0003225770.tif 000010
【図９】
0003225770.tif 000011
【図１０】
0003225770.tif 000012
【図１１】
0003225770.tif 000013
【手続補正書】
【提出日】令和2年1月29日(2020.1.29)
【手続補正１】
【補正対象書類名】実用新案登録請求の範囲
【補正対象項目名】全文
【補正方法】変更
【補正の内容】
【実用新案登録請求の範囲】
【請求項１】
継ぎ目の見えない複合式カップ構造を有するブラジャーカップであって、そのカップは、表布を有する熱圧着外部 構造組立体と、裏布を有する裁断式立体内カップ組立体とを備え、
前記裁断式立体内カップ組立体は、少なくとも一つの裁断済みの継ぎ合わせ布を有し、継ぎ合わせ手段で立体型紙に合わせて継ぎ合わせ結合によりなされ、前記裁断式立体内カップ組立体は、内凹部と外凸部とを自然に湾曲成形するようにミシン縫製され、前記内凹部が内側方向となり、前記外凸部が外側方向となり、前記継ぎ合わせ手段は、前記内凹部と前記外凸部とに露呈分布しており、
前記裁断式立体内カップ組立体と、前記熱圧着外部構造組立体とを前記外側方向で熱圧着結合して一体的に成形し、前記熱圧着外部構造組立体によって前記外凸部の前記継ぎ合わせ手段を遮蔽することを特徴とする、継ぎ目の見えない複合式カップ構造を有するブラジャーカップ。
【請求項２】
前記熱圧着外部構造組立体は、外芯材層をさらに有し、前記表布が前記外芯材層のうちの一面に結合されることを特徴とする、請求項１に記載の継ぎ目の見えない複合式カップ構造を有するブラジャーカップ。
【請求項３】
前記表布の一面にプリント柄、刺繍柄またはドビー柄が施されることを特徴とする、請求項１に記載の継ぎ目の見えない複合式カップ構造を有するブラジャーカップ。
【請求項４】
前記裁断式立体内カップ組立体は、内芯材層をさらに有し、前記裏布が前記内芯材層のうちの一面に結合されることを特徴とする、請求項１に記載の継ぎ目の見えない複合式カップ構造を有するブラジャーカップ。
【請求項５】
前記裏布の一面にプリント柄、刺繍柄またはドビー柄が施されることを特徴とする、請求項１に記載の継ぎ目の見えない複合式カップ構造を有するブラジャーカップ。
【請求項６】
前記表布は、所定方向に沿う繊維流れ向きを持ち、前記裁断式立体内カップ組立体の当該継ぎ合わせ布の裏布は、所定方向に沿う繊維流れ向きを持ち、前記表布の繊維流れ向きと前記裏布の繊維流れ向きは、いずれも異なっていることを特徴とする、請求項１に記載の継ぎ目の見えない複合式カップ構造を有するブラジャーカップ。
【請求項７】
前記熱圧着外部構造組立体と前記裁断式立体内カップ組立体との間に設けられる中間層をさらに備えることを特徴とする、請求項１に記載の継ぎ目の見えない複合式カップ構造を有するブラジャーカップ。
【請求項８】
前記継ぎ合わせ手段は、ミシン縫製であることを特徴とする、請求項１に記載の継ぎ目の見えない複合式カップ構造を有するブラジャーカップ。
【請求項９】
前記継ぎ合わせ手段は、ラミネート片であることを特徴とする、請求項１に記載の継ぎ目の見えない複合式カップ構造を有するブラジャーカップ。
【手続補正２】
【補正対象書類名】明細書
【補正対象項目名】全文
【補正方法】変更
【補正の内容】
【考案の詳細な説明】
【技術分野】
【０００１】
本考案は、ブラジャーのカップに係り、特に、複合式カップ構造を有するブラジャーカップに関するものである。
【背景技術】
【０００２】
ブラジャーは、女性たちにとって最も素肌に近い衣料であり、現今の国民の生活品質を普遍的に向上させる環境において、ブラジャー製品の精緻化は、実に同日に論じることができない。従って、消費者は、ブラジャーの品質及び使用快適さの程度に対する要求も相対的に増加する。しかし一方で、ブラジャー製品において、消費者が求める着用品質及び快適効果に最も直接影響するものが、乳房を包み込んで支え上げるカップにほかならない。このため、カップ部分の構造及び設計は、実に最も重要な課題の一環であり、市場競争力に対し一定程度の影響があったと考えられる。
【０００３】
現在、一般の下着カップ構造は、主に２種類のものがある。１種類目は、一体式熱圧着成形するものであり、２種類目は、裁断・ミシン縫製・継ぎ合わせ成形するものである。
【０００４】
一体式熱圧着成形するカップとは、同じ大きさ平面状の中間層、内表層及び外表層の３層を重ね合わせた後、金型と高温を利用して、前記中間層と、前記内表層と、前記外表層とをカップの立体形状となるように熱圧着すると同時に、前記中間層と、前記内表層と、前記外表層とを一体的に結合するものであり、この種のような設計は、美観性の利点を有する。カップの成形後、透け模様のレース下着本体内に設置されるので、一体式熱圧着成形するカップを透け模様のレース下着本体から透過するとき、外表が平坦で美観に優れ、しかし、この種の生産工程には、ほとんど各種の規格に基づいて、一つの金型を独立に利用して熱圧着成形を行うため、この種のカップでは、大量の金型のための開発コストが必 要となり、開発サイクルが高くなる。その上、熱圧着してから完全定型までの時間が長いため、量産に不向きである。
【０００５】
２種類目のカップは、裁断・ミシン縫製・継ぎ合わせ成形するものであり、この種の継ぎ合わせカップは、立体型紙に合わせて所定の単一または複数の平面に沿ってミシン縫製して継ぎ合わせる方式を利用して、前記裁布が立体形状になるように相互に結合され、この種の裁断・ミシン縫製・継ぎ合わせ成形するカップのほとんどは、布面を新たに組み合わせた後、互いに引張固定し合うことで、身体に緊密フィットしてサポート安定作用を達成でき、かつ高温での金型加工を経ずに塑型できるので、開発が便利迅速に行えるばかりでなく、生産コストも大幅に低減できる。しかし、ミシン縫製により布が立体カップ形状になるように結合されるため、デザインモデルに制限があるので、外表の美観性については、美観性がミシン縫製線によって限定されると見なされ、ミシン縫製・成形の過程にはより大きいな誤差値があるに加えて、完成品の外形もスムーズに表されないことから、生産し出荷するカップの形状が期待通りにならない場合がある。
【考案の概要】
【考案が解決しようとする課題】
【０００６】
本考案の目的は、変形防止及び耐洗濯性の利点を備えた上、さらに同時に美観性の利点 を兼ね備えている、継ぎ目の見えない複合式カップ構造を有するブラジャーカップを提供することである。
【課題を解決するための手段】
【０００７】
本考案に係る継ぎ目の見えない複合式カップ構造を有するブラジャーカップにおいて、そのカップは、熱圧着外部構造組立体と、裁断式立体内カップ組立体とを備え、前記熱圧着外部構造組立体は、表布を有し、前記裁断式立体内カップ組立体は、裏布を有するとともに少なくとも一つの裁断済みの継ぎ合わせ布を有し、継ぎ合わせ手段で立体型紙に合わせて継ぎ合わせ結合によりなされ、前記裁断式立体内カップ組立体は、内凹部と外凸部とを自然に湾曲成形するようにミシン縫製され、前記内凹部が内側方向となり、前記外凸部が外側方向となり、前記継ぎ合わせ手段は、前記内凹部と前記外凸部とに露呈分布しており、前記裁断式立体内カップ組立体と、前記熱圧着外部構造組立体とを前記外側方向で熱圧着結合して一体的に成形するものである。
【考案の効果】
【０００８】
そのカップを用いて一体式熱圧着成形する下着を作製するとき、カップの表面全体は、同一枚の熱圧着外部構造組立体であり、そして前記カップ内の前記裁断式立体内カップ組立体の継ぎ合わせ手段は、いずれも前記熱圧着外部構造組立体によって遮蔽される。よって、美観性を有すると同時に、また開発迅速化及びコスト低減化の利点を兼ね備えている。単一のカップとして作製されるそのカップが、レース下着布内に設けられるとき、レース間に露呈しているカップの表面は、同一枚の熱圧着外部構造組立体であり、ミシン縫製目やラミネート片を有する前記継ぎ合わせ手段は、いずれも非透視材質からなる熱圧着外部構造組立体によって遮蔽され、変形防止及び耐洗濯性の利点を備えた上、さらに同時に美観性の利点を兼ね備えている。
【図面の簡単な説明】
【０００９】
【図１】本考案の下着とカップの斜視図である。
【図２】本考案の熱圧着外部構造組立体及び裁断式立体内カップ組立体の分解斜視図（未切裁未成形の裁断式立体内カップ組立体）である。
【図３】本考案の熱圧着外部構造組立体及び裁断式立体内カップ組立体の分解斜視図（切裁成形後の各継ぎ合わせ布）である。
【図４】本考案の熱圧着外部構造組立体及び裁断式立体内カップ組立体の分解斜視図（ミシン縫製準備の各継ぎ合わせ布）である。
【図５】本考案の熱圧着外部構造組立体及び裁断式立体内カップ組立体の分解斜視図（ミシン縫製成形後の各継ぎ合わせ布）である。
【図６】本考案の熱圧着成形を示す図である。
【図７】本考案のカップ完成品を斜視的に、かつ一部断面にして示す図である。
【図８】本考案の他の実施例のカップの熱圧着成形を示す図である。
【図９】本考案の他の実施例のカップ完成品の断面図である。
【図１０】本考案のさらに他の実施例のカップ完成品の断面図（継ぎ合わせ手段がラミネート片である場合）である。
【図１１】本考案の裁断式立体内カップ組立体を継ぎ合わせ布を介してのミシン縫製成形を示す図である。
【考案を実施するための形態】
【実施例１】
【００１０】
図１〜図７のように、本考案の継ぎ目の見えない複合式カップ構造を有するブラジャーカップにおいて、そのカップ１は、熱圧着外部構造組立体１０と、裁断式立体内カップ組立体２０とを備える。
【００１１】
前記熱圧着外部構造組立体１０は、表布１１と、外芯材層１２とを有し、前記表布１１が前記外芯材層１２のうちの一面に結合され、かつ前記表布１１の前記外芯材層１２に結合される面とは他方の面にプリント柄、刺繍柄またはドビー柄が施され、前記表布１１と前記外芯材層１２は、遠赤外線布、竹炭繊維を含む布、銀イオンを含む布、グラフェン繊維を含む布、涼感機能布、発熱機能布、抗菌布、起毛布、プリント柄布、サンドイッチ布または弾性布などであってもよい。
【００１２】
前記裁断式立体内カップ組立体２０は、少なくとも一つの裁断済みの継ぎ合わせ布２０Ａを有し、立体型紙に合わせてミシン縫製やラミネートを利用して継ぎ合わせによりなされ、かつ前記継ぎ合わせ布２０Ａは、内芯材層２１と、裏布２２とを含み、前記裏布２２が前記内芯材層２１のうちの一面に結合され、かつ前記裏布２２の前記内芯材層２１に結合される面とは他方の面にプリント柄、刺繍柄またはドビー柄が施され、図２〜図４のように、前記内芯材層２１と前記裏布２２は、遠赤外線布、竹炭繊維を含む布、銀イオンを含む布、グラフェン繊維を含む布、涼感機能布、発熱機能布、抗菌布、起毛布、プリント柄布、サンドイッチ布または弾性布などであってもよい。前記継ぎ合わせ布２０Ａは、継ぎ合わせ手段２３を利用して完全な前記裁断式立体内カップ組立体２０になるように結合され、この時、前記裁断式立体内カップ組立体２０は、内凹部２４と外凸部２５とを自然に湾曲成形するようにミシン縫製され、前記内凹部２４が内側方向となり、前記外凸部２５が外側方向となり、前記継ぎ合わせ手段２３は、前記内凹部２４と前記外凸部２５とに露呈分布しており、前記継ぎ合わせ手段２３は、ミシン縫製２３Ａ（図５〜図７を参照）の方式であってもよく、あるいはラミネート片２３Ｂ（図１０を参照）の方式であってもよい。
【００１３】
前記裁断式立体内カップ組立体２０と、前記熱圧着外部構造組立体１０とを前記外側方向の前記内芯材層２１により一体的に結合し、前記熱圧着外部構造組立体１０によって前記外凸部２５の前記継ぎ合わせ手段２３を遮蔽し、前記一体的な結合は、上型５０ａ及び下型５０ｂを利用して熱圧着成形を行い、図６のように、前記上型５０ａに雌型穴５１ａが予め設けられ、前記下型５０ｂに前記雌型穴５１ａに合致する雄型突起部５１ｂが設けられ、前記裁断式立体内カップ組立体２０は、前記内凹部２４を介して前記雄型突起部５１ｂに載置され、前記熱圧着外部構造組立体１０は、前記外凸部２５の方向に載置されて積み重ねられ、前記上型５０ａ及び前記下型５０ｂで熱圧着を行い、前記熱圧着外部構造組立体１０を、前記雌型穴５１ａと前記雄型突起部５１ｂとに合わせて成形すると同時に、前記熱圧着外部構造組立体１０と前記裁断式立体内カップ組立体２０とを一体的に結合し、次いで前記熱圧着外部構造組立体１０を前記上型５０ａと前記下型５０ｂとの間に入れるとき、事前に単独でプリプレスし、それから中央部に前記外凸部２５に合致する形状を形成してもよいことは、図５に示すとおりである。
【００１４】
その内、前記表布１１は、所定方向に沿う繊維流れ向きを持ち、前記裁断式立体内カップ組立体２０の各継ぎ合わせ布２０Ａの裏布２２は、所定方向に沿う繊維流れ向きを持ち、前記表布１１の繊維流れ向きと前記各裏布２２の繊維流れ向きは、いずれも異なっている。
【実施例２】
【００１５】
前記カップ１の熱圧着成形時、中間層３０をさらに備え、図８と図９のように、前記中間層３０は、中綿層、綿パッド、ゴム薄板、ゴムメッシュ、ゴムフィルム、挿入薄板、裏当て布、射出成形薄板またはサポート薄板などであってもよく、前記中間層３０は、前記熱圧着外部構造組立体１０と前記裁断式立体内カップ組立体２０との間に設けられ、前記上型５０ａ及び前記下型５０ｂを利用して熱圧着を行うとき、同時に結合固定している。
【００１６】
本考案のカップ１を用いて着用者が着用するための下着を作製するとき、前記裁断式立体内カップ組立体２０は、異なる特性や繊維方向の前記各継ぎ合わせ布２０Ａからなるので、カップ１の異なる部位に異なる引き締め、サポート及びストレッチなどの機能を有させることができるため、より好ましい引き締め、持ち上げ集中及び包み込みフィット効果を提供することができ、前記熱圧着外部構造組立体１０が前記裁断式立体内カップ組立体 ２０の外側表面に結合して設けられることに加えて、より一層前記各継ぎ合わせ布２０Ａの耐洗濯及び抗変形の性能に役立てる一方、相対的に前記各継ぎ合わせ布２０Ａにより前記熱圧着外部構造組立体１０の耐洗濯及び抗変形の性能をも増強させることができる。かつ、前記カップ１を用いて着用者が着用するための下着を作製するとき、外表面からは各継ぎ合わせ布２０Ａ間の継ぎ合わせ手段２３が完全に見えないので、ブラジャー全体の美観性及び着用の快適感に影響せずに、さらに耐洗濯性及び変形しない利点を兼ね備えている。
【００１７】
また、前記裁断式立体内カップ組立体２０は、前記二つの継ぎ合わせ布２０Ａを使用して継ぎ合わせてなるとき、前記継ぎ合わせ布２０Ａは、互いに異なる高さで結合されてもよく、そうすると、異なる厚さを有する前記裁断式立体内カップ組立体２０が得られる。
【００１８】
前記裁断式立体内カップ組立体２０は、少なくとも一つの継ぎ合わせ布２０Ａにより結合してなる。継ぎ合わせ布２０Ａが一つである場合では、図１１のように、前記継ぎ合わせ布２０Ａに切欠口が予め設けられた後に、前記切欠口からミシン縫製やラミネートの前記継ぎ合わせ手段２３を利用すると、前記一つの継ぎ合わせ布２０Ａを裁断式立体内カップ組立体２０に成形することができる。一方、継ぎ合わせ布２０Ａが複数である場合では、図２〜図５のように、前記各継ぎ合わせ布２０Ａは、ミシン縫製やラミネートの前記継ぎ合わせ手段２３を利用すると、前記各継ぎ合わせ布２０Ａを裁断式立体内カップ組立体２０に成形することができる。
【００１９】
上記の具体的な実施例の構造によれば、下記の効果利益が得られる。本考案の継ぎ目の見えない複合式カップ構造を有するブラジャーカップにおいて、そのカップ１を用いて一体式熱圧着成形する下着を作製するとき、カップ１の表面全体は、同一枚の熱圧着外部構造組立体１０であり、そして前記カップ１内の前記裁断式立体内カップ組立体２０は、さらに多数種の繊維流れ向きを持つ前記各継ぎ合わせ布２０Ａを有するため、美観性を有すると同時に、また変形防止及び耐洗濯性の利点を兼ね備えている。単一のカップ１として作製されるそのカップ１が、レース下着布内に設けられるとき、レース間に露呈しているカップ１の表面は、同一枚の熱圧着外部構造組立体１０であり、複数裁断した継ぎ合わせ布２０Ａの継ぎ合わせ手段２３は、いずれも非透視材質からなる熱圧着外部構造組立体１０によって遮蔽され、変形防止及び耐洗濯性の利点を備えた上、さらに同時に美観性の利点を兼ね備えている。
【００２０】
また、前記裁断式立体内カップ組立体２０は、前記継ぎ合わせ手段２３を利用して成形するとき、既に基本的な立体形状を具備すると同時に、前記内凹部２４と前記外凸部２５とを生成することにより、前記熱圧着外部構造組立体１０と前記裁断式立体内カップ組立体２０とを重ね合わせ設置して熱圧着成形を行うとき、必要な成形温度をより低くし、成形時間をより短くすることができる。その結果、前記部分の加工時間とコストを低減することができる。
【００２１】
さらに、前記熱圧着外部構造組立体１０と前記裁断式立体内カップ組立体２０とを重ね合わせて設置することで、多層かつ互いに異なる繊維流れ向きを生じさせることができ、変形や引張力を相補的にすることができ、より好ましい変形防止及び強い耐洗濯性の性能を有するので、着用時、バストの左右を寄せて上げる性能が不一致になってしまうことを回避でき、着心地をより快適にすることができる。
【符号の説明】
【００２２】
１        カップ
１０        熱圧着外部構造組立体
１１        表布
１２        外芯材層
２０        裁断式立体内カップ組立体
２０Ａ      継ぎ合わせ布
２１        内芯材層
２２        裏布
２３        継ぎ合わせ手段
２３Ａ      ミシン縫製
２３Ｂ      ラミネート片
２４        内凹部
２５        外凸部
３０        中間層
５０ａ      上型
５１ａ      雌型穴
５０ｂ      下型
５１ｂ      雄型突起部